(57)【特許請求の範囲】
【請求項１】
眼に移植可能な眼内レンズ（１１）は：
眼の嚢に挿入し、光を眼の網膜へ向けさせるのに適した光学レンズ（１３）；および、
中心光学軸（２２）、前方周縁領域（２７）を含む前方面（２３）、これと反対にある後方周縁領域（２９）と平面ではない少なくとも一領域（３５）を含む後方面（２５）、および前方面（２３）と後方面（２５）との間の周縁エッジ面（３１）を持つ光学レンズ（１３）；で構成され、
該光学レンズは、中心光学軸（２２）に対し平行の方向に前方周縁領域（２７）または後方周縁領域（２９）を超えて延びない、中心光学軸に対し平行な前方面（２３）と後方面（２５）との間の方向に中心軸を基準として連続曲線形状を持つ、周縁エッジ面（３１）；および、
周縁エッジ面（３１）および前方面（２３）または後方面（２５）が交差して、周縁エッジ面と交差する前方面または後方面との不連続点において形成される周縁コーナーエッジ（２８、３０）を持ち、
中心光学軸と平行な前方面（２３）と後方面（２５）との間の方向に、中心光学軸を基準とした場合、周縁エッジ面（３１）の少なくとも一部分が凹状となっていることを特徴とする眼内レンズ（１１）。
【請求項２】
眼に移植可能な眼内レンズ（１１）は：
眼の嚢に挿入し、光を眼の網膜へ向けさせるのに適した光学レンズ（１３）；および、
中心光学軸（２２）、前方周縁領域（２７）を含む前方面（２３）、これと反対にある後方周縁領域（２９）と平面ではない少なくとも一領域（３５）を含む後方面（２５）、および前方面（２３）と後方面（２５）との間の周縁エッジ面（３１）を持つ光学レンズ（１３）；で構成され、
該光学レンズは、中心光学軸（２２）に対し平行の方向に前方周縁領域（２７）または後方周縁領域（２９）を超えて延びない、中心光学軸に対し平行な前方面（２３）と後方面（２５）との間の方向に中心軸を基準として連続曲線形状を持つ、周縁エッジ面（３１）；および、
周縁エッジ面（３１）および前方面（２３）または後方面（２５）が交差して、周縁エッジ面と交差する前方面または後方面との不連続点において形成される周縁コーナーエッジ（２８、３０）を持ち、
周縁エッジ面（４３１）の第一部分（４１）が、中心光学軸（４２２）を基準として前方面（２３）と後方面（２５）との間の方向に凹状となり、周縁エッジ面の第二部分（３９）が中心光学軸と平行の前方面（２３）と後方面（２５）との間の方向に中心光学軸を基準として凸状となっていることを特徴とする眼内レンズ（１１）。
【請求項３】
周縁コーナーエッジ（２８、３０）のない同一構成の眼内レンズと比べて、光学レンズ（１３）の前後において眼から細胞が成長するのが一層抑制される構造を持つ、請求項１の眼内レンズ（１１）。
【請求項４】
交差面が後方面（２５）となる、請求項１の眼内レンズ（１１）。
【請求項５】
周縁エッジ面（３１）および前方面（２３）、周縁エッジ面および後方面（２５）がそれぞれ交差し、周縁エッジ面と交差面との間の不連続点において周縁コーナーエッジ（２８、３０）を形成する、請求項１の眼内レンズ（１１）。
【請求項６】
周縁エッジ面（３１）と交差面（２３、２５）が約４５ｏ〜１３５ｏの角度で交差する、請求項１の眼内レンズ（１１）。
【請求項７】
周縁エッジ面（３１）と交差面（２３、２５）が約６０o〜１２０oの角度で交差する、請求項１の眼内レンズ（１１）。
【請求項８】
周縁エッジ面（３１）と交差面（２３、２５）が鈍角で交差する、請求項１の眼内レンズ（１１）。
【請求項９】
周縁エッジ面（３１）、周縁エッジ面付近の前方面（２３）、周縁エッジ面付近の後方面（２５）の少なくとも一部分のうち１か所以上が部分的に不透過性である、請求項１の眼内レンズ（１１）。
【請求項１０】
中心光学軸に平行の周縁エッジ面を持つ同一の眼内レンズに比べて、眼内でのまぶしさを低減する構造を持つ、請求項１の眼内レンズ（１１）。
【請求項１１】
中心光学軸と平行な前方面（２３）と後方面（２５）との間の方向に、中心光学軸（３２２）を基準とした場合、周縁エッジ面（３３１）の少なくとも一部分が凸状となっている、請求項１の眼内レンズ（３１１）。
【請求項１２】
周縁エッジ面（３１）が中心光学軸（２２）の周囲に存在し、周縁エッジ面全体が、中心光学軸に平行な前方面（２３）と後方面（２５）との間の方向に中心光学軸を基準として連続曲線構造となっている、請求項１の眼内レンズ（１１）。
【請求項１３】
前方周縁領域（２７）および後方周縁領域（２９）の少なくともどちらかが周縁エッジ面（３１）から中心光学軸（２２）へと延びる平面である、請求項１の眼内レンズ（１１）。
【請求項１４】
前方周縁領域（２７）および後方周縁領域（２９）の少なくともどちらかが中心光学軸（２２）に対し垂直である、請求項１４の眼内レンズ（１１）。
【請求項１５】
前方周縁領域（２７）および後方周縁領域（２９）の両方が周縁エッジ面（３１）から中心光学軸（２２）へと延びる平面である、請求項１３の眼内レンズ（１１）。
【請求項１６】
眼内で眼内レンズを固定するのに使用する、光学レンズに結合された少なくとも１つの細長い固定要素でさらに構成される、請求項１の眼内レンズ（１１）。
【請求項１７】
眼に移植可能な眼内レンズ（１１）は：
眼の嚢に挿入し、光を眼の網膜へ向けさせるのに適した光学レンズ（１３）；および
中心光学軸（２２）、前方周縁領域（２７）を含む前方面（２３）、これと反対にある後方周縁領域（２９）と平面ではない少なくとも一領域（３５）を含む後方面（２５）、および前方面（２３）と後方面（２５）との間の周縁エッジ面（３１）を持つ光学レンズ（１３）；で構成され、
該光学レンズ（１１）は中心光学軸（２２）に対し平行の方向に前方周縁領域（２７）または後方周縁領域（２９）を超えて延びない、中心光学軸に対し平行な前方面（２３）と後方面（２５）との間の方向に、中心軸を基準として連続曲線形状を持つ周縁エッジ面（３１）を有し、
周縁エッジ面（３１）および前方面（２３）または後方面（２５）が交差して、周縁エッジ面と交差する前方面または後方面との不連続点において周縁コーナーエッジ（２８、３０）を形成し、
中心光学軸と平行な前方面（２３）と後方面（２５）との間の方向に、中心光学軸を基準とした場合、周縁エッジ面（３１）の少なくとも一部分が凹状となっており、
光学レンズ（１１）が、周縁コーナーエッジ（２８、３０）のない同一構成の眼内レンズと比べて、光学レンズ（１３）の前後において眼の細胞が成長するのを一層抑制する構造を持ち、中心光学軸に平行の周縁エッジ面を持つ同一の眼内レンズと比べて、眼内でのまぶしさを低減する構造を持つことを特徴とする眼内レンズ（１１）。
【請求項１８】
眼に移植可能な眼内レンズ（１１）は：
眼の嚢に挿入し、光を眼の網膜へ向けさせるのに適した光学レンズ（１３）；および
中心光学軸（２２）、前方周縁領域（２７）を含む前方面（２３）、これと反対にある後方周縁領域（２９）と平面ではない少なくとも一領域（３５）を含む後方面（２５）、および前方面（２３）と後方面（２５）との間の周縁エッジ面（３１）を持つ光学レンズ（１３）；で構成され、
該光学レンズ（１１）は中心光学軸（２２）に対し平行の方向に前方周縁領域（２７）または後方周縁領域（２９）を超えて延びない、中心光学軸に対し平行な前方面（２３）と後方面（２５）との間の方向に、中心軸を基準として連続曲線形状を持つ周縁エッジ面（３１）を有し、
周縁エッジ面（３１）および前方面（２３）または後方面（２５）が交差して、周縁エッジ面と交差する前方面または後方面との不連続点において周縁コーナーエッジ（２８、３０）を形成し、
周縁エッジ面（４３１）の第一部分（４１）が、中心光学軸（４２２）を基準として前方面（２３）と後方面（２５）との間の方向に凹状となり、周縁エッジ面の第二部分（３９）が中心光学軸と平行の前方面（２３）と後方面（２５）との間の方向に中心光学軸を基準として凸状となっており、
光学レンズ（１１）が、周縁コーナーエッジ（２８、３０）のない同一構成の眼内レンズと比べて、光学レンズ（１３）の前後において眼の細胞が成長するのを一層抑制する構造を持ち、中心光学軸に平行の周縁エッジ面を持つ同一の眼内レンズと比べて、眼内でのまぶしさを低減する構造を持つことを特徴とする眼内レンズ（１１）。
【請求項１９】
前方面（２３）と後方面（２５）との間の中心光学軸（２２）に平行な光学レンズ（１３）の寸法は、中心光学軸においてよりも周縁エッジ面（３１）における方が小さい、請求項１７又は１８の眼内レンズ（１１）。
【請求項２０】
前方周縁領域（２７）および後方周縁領域（２９）の両方が周縁エッジ面（３１）から中心光学軸（２２）へと延びる平面である、請求項１７又は１８の眼内レンズ（１１）。
【請求項２１】
眼に移植可能な眼内レンズ（１１）は：
眼の嚢に挿入し、光を眼の網膜へ向けさせるのに適した光学レンズ（１３）；
で構成され、該光学レンズ（１１）は
中心光学軸（２２）、前方周縁領域（２７）を含む前方面（２３）、これと反対にある後方周縁領域（２９）と平面ではない少なくとも一領域（３５）を含む後方面（２５）、および前方面（２３）と後方面（２５）との間の周縁エッジ面（３１）を持つ光学レンズ（１３）を有し、
光学レンズ（１１）はまた、中心光学軸（２２）に対し平行の方向に前方周縁領域（２７）または後方周縁領域（２９）を超えて延びない、中心光学軸に対し平行な前方面（２３）と後方面（２５）との間の方向に中心軸を基準として連続曲線形状を持つ、周縁エッジ面（３１）を有し
周縁エッジ面（３１）および後方面（２５）が交差して、周縁エッジ面と後方面との不連続点において周縁コーナーエッジ（３０）を形成し、
周縁エッジ面（３１）の少なくとも一部分が中心光学軸と平行な前方面（２３）と後方面（２５）との間の方向に、中心光学軸を基準とした場合に、凹状となっており、
光学レンズ（１１）はさらに、光学的に透き通った前方周縁領域、後方周縁領域、および周縁エッジ面、ならびに光学レンズの前方面と後方面との間の方向に中心光学軸に平行な周縁エッジ面を持つ類似の眼内レンズと比べて、眼内でのまぶしさを低減する構造を備えていることを特徴とする眼内レンズ（１１）。
【請求項２２】
眼に移植可能な眼内レンズ（１１）は：
眼の嚢に挿入し、光を眼の網膜へ向けさせるのに適した光学レンズ（１３）；
で構成され、該光学レンズ（１１）は
中心光学軸（２２）、前方周縁領域（２７）を含む前方面（２３）、これと反対にある後方周縁領域（２９）と平面ではない少なくとも一領域（３５）を含む後方面（２５）、および前方面（２３）と後方面（２５）との間の周縁エッジ面（３１）を持つ光学レンズ（１３）を有し、
光学レンズ（１１）はまた、中心光学軸（２２）に対し平行の方向に前方周縁領域（２７）または後方周縁領域（２９）を超えて延びない、中心光学軸に対し平行な前方面（２３）と後方面（２５）との間の方向に中心軸を基準として連続曲線形状を持つ、周縁エッジ面（３１）を有し
周縁エッジ面（３１）および後方面（２５）が交差して、周縁エッジ面と後方面との不連続点において周縁コーナーエッジ（３０）を形成し、
周縁エッジ面（４３１）の第一部分（４１）が、中心光学軸（４２２）を基準として前方面（２３）と後方面（２５）との間の方向に凹状となり、周縁エッジ面の第二部分（３９）が中心光学軸と平行の前方面（２３）と後方面（２５）との間の方向に中心光学軸を基準として凸状となっており、
光学レンズ（１１）はさらに、光学的に透き通った前方周縁領域、後方周縁領域、および周縁エッジ面、ならびに光学レンズの前方面と後方面との間の方向に中心光学軸に平行な周縁エッジ面を持つ類似の眼内レンズと比べて、眼内でのまぶしさを低減する構造を備えていることを特徴とする眼内レンズ（１１）。
【請求項２３】
前方周縁領域（２７）、後方周縁領域（２９）および周縁エッジ面（３１）の少なくとも１カ所が部分的に不透過性の、請求項２１又は２２の眼内レンズ（１１）。
【請求項２４】
前方周縁領域（２７）、後方周縁領域（２９）および周縁エッジ面（３１）の各々が少なくとも部分的に不透過性の、請求項２１又は２２の眼内レンズ（１１）。
【発明の詳細な説明】
【０００１】
（発明の背景）
本発明は、眼内レンズ（ＩＯＬ）に関し、特に眼からＩＯＬ上へ細胞が移動または成長するのを抑制し、眼で生じるまぶしさを低減するＩＯＬに関する。
【０００２】
眼内レンズは、医療条件によって保証される場合に、人間の眼の本来のレンズと交換使用する目的で一般に使用される。通常の慣行としては、嚢または後嚢として知られる眼内領域にＩＯＬを移植する。
【０００３】
移植後に多くのＩＯＬに見られるひとつの問題として、眼から細胞が、特に嚢から上皮細胞がＩＯＬの光学レンズの前後で成長する傾向がある。この結果、ＩＯＬの光学レンズが遮断され、視野が損われる傾向がある。
【０００４】
このような状態に対する一般的処置として、レーザーで細胞および嚢の中央領域を取り除くという方法がある。この処置は効果的ではあるが、レーザーは高価であり、世界中どこででも使用できる訳ではない。レーザー処置に該費用の他、患者が不自由であること、および合併症のリスク等の問題もある。最後に、レーザー処置によって、ＩＯＬの中にはその性能に影響が及ぶものもある。
【０００５】
ＩＯＬ移植後に見られるもう別の問題は、ＩＯＬ、特にＩＯＬのエッジに反射して跳ね返す光によるまぶしさに関係している。このようなまぶしさは患者にとって不快となる場合があり、ＩＯＬを取り外して交換するような事態ともなり得る。
【０００６】
眼の細胞がＩＯＬ上で成長するのを抑制し、眼内のＩＯＬにより生じるまぶしさを低減するＩＯＬを提供することは有利であろう。
【０００７】
（発明の概要）
新しいＩＯＬが明らかにされた。該ＩＯＬは、細胞、特に上皮細胞がＩＯＬ光学レンズ上へと成長するのを抑制する効果がある。また、ＩＯＬは、ＩＯＬが挿入されていることにより生じる眼内のまぶしさ、特にエッジ部でのまぶしさを低減する構造となっている。該ＩＯＬは、設計および構造ともに簡単で、容易に製造でき、眼内で使用するに当たり効果的かつ多大な利点を提供する。
【０００８】
本発明を広義的に捉えれば、該ＩＯＬは、眼に移植可能であり、中心光学軸、前方面、これと反対にある後方面、および面と面との間の周縁エッジ面を持つ光学レンズで構成される。光学レンズは、眼の嚢に挿入し、光を眼の網膜へ向けさせるのに適している。非常に有益な実施態様として、ＩＯＬはさらに、少なくとも１本の固定要素と、一層好ましい条件として２本の細長い固定要素で構成され、これらが光学レンズにつながり、眼内でＩＯＬを固定するのに使用される。
【０００９】
該ＩＯＬの周縁エッジ面は、光学レンズの前方面および後方面の間、すなわち光学軸を含む断面図における面と面との間の方向に実質的に連続曲線形状となっている。周縁エッジ面のごく一部分が実質的には連続曲線構造となっている場合は、別の部分、例えば周縁エッジ面の残りの部分は、光学軸と平行にはならないで、光学レンズの前方面と後方面の間の方向に直線形状となることが好ましい。さらに好ましい条件として、周縁エッジ面全体が光学レンズの前方面と後方面の間で実質的に連続曲線構造となっている。周縁エッジ面、周縁エッジ面付近の前方面、および周縁エッジ面付近の後方面の一部分の少なくとも１カ所以上は部分的に光を透過せず、この不透過性がまぶしさを低減する上で効果がある。該不透過性は、例えば光学レンズの選定部分に物理的に凹凸をつけるなど、いずれかの適切な方法により達成することができる。さらに好ましいことに、該ＩＯＬは、光学レンズの面と面の間の方向に中心光学軸に平行（面）の周縁エッジ面を持つ実質的に同一のＩＯＬで生じるまぶしさと比べて、眼内でのまぶしさをさらに低減する。
【００１０】
また、周縁エッジ面の交差部および前方面と後方面の少なくとも１つ、好ましくは両方が、周縁エッジ面と交差面との間の不連続点にて周縁コーナーエッジを形成する。鋭角の周縁コーナーエッジとみなすことのできる該周縁コーナーエッジには、眼からＩＯＬ上へと細胞が移動または成長するのを抑制する効果がある。１カ所または複数の鋭角の周縁コーナーエッジがない実質的に同一のＩＯＬと比べて、該ＩＯＬは好ましいことに、該角度の付いた１カ所または２カ所の周縁コーナーエッジによって、光学レンズの前後において眼の細胞が成長するのをより一層抑制する。
【００１１】
周縁エッジ面と１カ所または複数の交差面は、１カ所または複数カ所で、約４５o〜１３５oが好ましいが、約６０o〜１２０oであれば一層好ましい角度で交差している。ある実施態様では、鈍角（９０o＞１８０o）で交差している。該交差角は、該ＩＯＬの光学レンズの前方面および／または後方面上へと細胞が移動または成長するのを一層抑制しやすくする上で大変効果的である。
【００１２】
ある非常に有効な実施態様では、前方面と後方面の少なくとも1つ、好ましくは両方に、周縁エッジ面から中心光学軸へ延びた周縁領域がある。１カ所または複数の周縁領域は、実質的に平面で、好ましいことに中心光学軸に対し実質的に垂直である。
【００１３】
ある非常に有効な実施態様では、前方面と後方面のそれぞれに、周縁エッジ面から中心光学軸へ延びた周縁領域があり、該周縁領域は実質的に平面で、好ましいことに中心光学軸に対し実質的に垂直である。同周縁領域は、半径方向の寸法が少なくとも約０．１ｍｍ、また約２ｍｍ以下であれば一層好ましい。
【００１４】
前方面と後方面との間の中心光学軸に平行な光学レンズの寸法は、中心光学軸地点に比べて、周縁エッジ面またはその近くになるほど、例えば周縁領域になるほど小さくなっている。
【００１５】
ある実施態様では、光学レンズの周縁エッジ面の少なくとも一部分は、中心光学軸を基準に一般的に凸状となっている。また、別の代案では、光学レンズの周縁エッジ面の少なくとも一部分は、中心光学軸を基準に一般的に凹状となっている。特に有効な実施態様では、周縁エッジ面の第一部分は中心光学軸を基準に一般的に凸状で、周縁エッジ面の第二部分は中心光学軸を基準に一般的に凹状となっている。
【００１６】
好ましいことに、周縁エッジ面および／または１カ所または複数の周縁領域は中心光学軸の周囲に存在している。好ましいことに、前方面および後方面はいずれも、一般的に丸底形状となっている。前方面および後方面の少なくともどちらかに、実質的に平面ではない、周縁領域の中心へと半径方向に配置されたもうひとつ別の領域がある。
【００１７】
本明細書に記載の特徴のそれぞれ、および２つ以上のあらゆる組み合わせは、該特徴が相互に矛盾しないことを条件に、本発明の範囲に含まれる。
【００１８】
本発明ならびにその追加的特徴および利点は、同様のパーツには同様の参照番号を付した添付図面に関連して記述された以下の説明を参照することにより最も良く理解できる。
【００１９】
（快適な実施態様の説明）
図１は、全体的に光学レンズ１３および固定要素１５、１７で構成されるＩＯＬ  １１である。この実施態様では、光学レンズ１３が眼の網膜またはその付近に光を集めるのに効果があると考えられる。光学軸２２は、光学レンズ面を一般的に横断する方向に、光学レンズ１３の中心を通過する。
【００２０】
この実施態様では、光学レンズ１３は、平面図では円形、そして両凸面で光学軸２２に近づいている。しかし、他の輪郭や形状も採用することができるため、この輪郭は明らかに例証である。光学レンズ１３は、ポリメタクリル酸メチル（ＰＭＭＡ）などの硬質光学レンズに使用するのに通常採用される素材、またはシリコーンポリマー材、アクリルポリマー材、ヒドロゲル形成ポリマー材、これらの混合材など、弾力性のある可変光学レンズに使用するのに通常採用される素材のいずれかで作ることができる。
【００２１】
この実施態様における固定要素１５および１７は一般的にＣ字形状で、光学レンズ１３に一体化されている。しかし、固定要素は他の形状でも、諸々の従来の方法のいずれかの方法で光学レンズ１３に結合される分離した要素でも可能であるため、これは固定要素１５および１７の単なる例証である。
【００２２】
特に図３を参照すると、光学レンズ１３には、前方面２３、後方面２５、前方周縁領域２７、後方周縁領域２９および周縁エッジ面３１がある。周縁エッジ面３１は、例えば断面図では、連続曲線の凹状となっている。周縁エッジ面３１は、前方周縁コーナーエッジ２８において約７０oの角度で、前方周縁領域２７と交差している。コーナーエッジ２８は、前方面２３（前方周縁領域２７）と周縁エッジ面３１との間の不連続点にあり、光学軸２２の周囲に存在している。周縁エッジ面３１は、後方周縁コーナーエッジ３０において約７０oの角度で、後方周縁領域２９と交差している。コーナーエッジ３０は、後方面２５（後方周縁領域２９）と周縁エッジ面３１との間の不連続点にあり、光学軸２２の周囲に存在している。
【００２３】
前方および後方周縁領域２７および２９は、例えば約０．１mm〜１．０mm以上（図３に示すように約０．５mm）の長さで、周縁エッジ面３１、および、周縁コーナーエッジ２８および３０それぞれから中心へと半径方向に延び、実質的には平面で、もっと具体的には、光学レンズ１３の光学軸２２に対し実質的に垂直である。前方面２３は、凸面であって平面でないもうひとつ別の前方領域３３を含む。後方面２５は、凸面であって平面でないもうひとつ別の後方領域３５を含む。周縁領域２７および２９における前方面２３と後方面２５との間の光学レンズ１３の寸法は、光学軸２２における同寸法より小さい。
【００２４】
ＩＯＬ  １１を眼の嚢に移植することにより、細胞の移動や成長、例えば眼から光学レンズ１３の前方面および後方面２３、２５上へと上皮細胞が移動または成長するのが抑制または阻止されることが判明している。また、ＩＯＬ  １１を眼の嚢に移植した場合、エッジのまぶしさが低減されることも判明している。
【００２５】
本発明をある特定の理論に基づく手術に限定することを希望しないのであれば、該ＩＯＬ  １１は、鋭角の周縁コーナーエッジ２８および３０により、光学レンズ１３への細胞の移動または成長を抑制すると確信される。このため、該周縁コーナーエッジのない実質的には同一のＩＯＬと比べて、眼の細胞が前方面２３および後方面２５上で成長する傾向は少なくなると確信される。また、該ＩＯＬ  １１を使用することによりまぶしさが低減するのは、周縁エッジ面３１の曲線構造によるものと確信される。従って、実質的に連続曲線の周縁エッジ面３１を持つＩＯＬ  １１では、例えば断面図においてＩＯＬの光学軸と実質的に平行な周縁エッジ面を持つ実質的に類似のＩＯＬと比べて、まぶしさが低減される。
【００２６】
図２は、平面の周縁領域２および３、前方面および後方面６、７それぞれに鋭角の周縁コーナーエッジ４および５はあるが、光学軸９を基準に実質的に連続曲線ではなく平行の周縁エッジ面８を持つ先行技術ＩＯＬ  １を図解したものである。先行技術ＩＯＬ  １も細胞の成長をある程度抑制するが、本発明によるＩＯＬほどエッジのまぶしさは低減されない。
【００２７】
図４は、本発明に基づくＩＯＬの代案の実施態様を図解したものである。このＩＯＬは１１１に全体的概要を示す。本明細書に明示的に記載のない限り、ＩＯＬ  １１１はＩＯＬ  １１に類似した構成となり、類似の機能を果たす。ＩＯＬ １１のコンポーネントに相当するＩＯＬ  １１１のコンポーネントは、１００増やした同じ参照番号により示してある。
【００２８】
ＩＯＬ  １１１とＩＯＬ  １１との主な相違点は、前方面１２３および後方面１２５の形状に関係している。具体的には、前方面１２３はずっと凸状で、ＩＯＬ  １１１には実質的に平面の前方周縁領域がない。この凸状の前方面１２３は、鋭角の前方周縁コーナーエッジ１２８において、周縁エッジ面１３１と交差する。同様に、後方面１２５もずっと凸状で、ＩＯＬ  １１１には実質的に平面の後方周縁領域がない。この凸状の後方面１２５は、鋭角の後方周縁コーナーエッジ１３０において、周縁エッジ面１３１と交差する。前方面１２３および後方面１２５の具体的形状は、視力の矯正または希望する矯正、光学レンズ１１３のサイズ、ＩＯＬ  １１１が挿入される眼のサイズなどの要因を含めた所定の適用ニーズに対処するよう、個別に準備することができる。ＩＯＬ  １１１は、上記のＩＯＬ  １１と同様、細胞の移動または成長を抑制または阻止し、エッジでのまぶしさを低減する。
【００２９】
図５は、本発明に基づくＩＯＬのさらに進んだ実施態様を図解したものである。このＩＯＬは２１１に全体的概要を示す。本明細書に明示的に記載のない限り、ＩＯＬ  ２１１はＩＯＬ  １１１に類似した構成となり、類似の機能を果たす。ＩＯＬ  １１１のコンポーネントに相当するＩＯＬ  ２１１のコンポーネントは、１００増やした同じ参照番号により示してある。
【００３０】
ＩＯＬ  ２１１とＩＯＬ  １１１との主な相違点は、周縁エッジ面２３１の形状に関係している。具体的には、周縁エッジ面２３１の曲率は、周縁エッジ面１３１の曲率に比べて一層複雑となっている。特に、エッジ面１３１の曲率が実質的に一定の凹状の弧形を描く（断面図において）のに対し、エッジ面２３１の曲率は連続的に著しく変化する。周縁エッジ面２３１は、例えばＩＯＬ  １に比べて、眼にＩＯＬ  ２１１を挿入するとエッジのまぶしさが低減するよう構成されている。周縁エッジ面２３１の具体的形状または曲率は、光学レンズ２１３のサイズ、ＩＯＬ  １１１が挿入される眼のサイズなどの要因を含めた所定の適用ニーズに対処するようになっている。
【００３１】
図６は、本発明の追加実施態様を図解したものである。図６に図解されているＩＯＬは２１１に全体的概要を示す。本明細書に明示的に記載のない限り、ＩＯＬ  ２１１はＩＯＬ  １１１に類似した構成となり、類似の機能を果たす。ＩＯＬ  １１１のコンポーネントに相当するＩＯＬ  ３１１のコンポーネントは、２００増やした同じ参照番号により示してある。
【００３２】
ＩＯＬ  ３１１とＩＯＬ  １１１との主な相違点は、周縁エッジ面３３１の形状に関係している。具体的には、エッジ面１３１の曲率が実質的に一定の凹状の弧形を描く（断面図において）のに対し、周縁エッジ面３３１の曲率は連続的に著しく変化する（ＩＯＬ  ２１１の周縁エッジ面２３１の曲率と実質的に逆となるように）。ＩＯＬ  ３１１の周縁エッジ面３３１は、眼内にＩＯＬ  １を挿入した時のまぶしさに比べて、眼にＩＯＬ  ３１１を挿入するとまぶしさを低減するのに効果がある。
【００３３】
図７は、本発明に基づくＩＯＬの追加実施態様を図解したものである。本明細書に明示的に記載のない限り、４１１に全体的概要を示すこのＩＯＬは、ＩＯＬ  １１１に類似した構成となり、類似の機能を果たす。ＩＯＬ  １１１のコンポーネントに相当するＩＯＬ  ４１１のコンポーネントは、３００増やした同じ参照番号により示してある。
【００３４】
ＩＯＬ  ４１１とＩＯＬ  １１１との主な相違点は、周縁エッジ面４３１の形状に関係している。具体的には、周縁エッジ面４３１には、ＩＯＬ  ４１１の光学軸４２２を基準に凹面の第一部分３９がある。周縁エッジ面４３１には、ＩＯＬ  ４１１の光学軸４２２を基準に凸面の第二部分４１もある。従って、該ＩＯＬの周縁エッジ面、例えばＩＯＬ  ４１１の周縁エッジ面の曲率４３１は、相対的に複雑となり得る。周縁エッジ面４３１は、ＩＯＬ  １に比べて、眼内でのまぶしさを低減するのに効果がある。また、周縁エッジ面４３１が、前方周縁コーナーエッジ４２８において約９０oの角度で、前方面４２３と交差していることにも注目すべきである。同様に、周縁エッジ面４３１は、後方周縁コーナーエッジ４３０において約９０oの角度で、後方周縁領域４２９と交差している。
【００３５】
ＩＯＬ  ４１１は、本発明に基づくすべてのＩＯＬと同様に、眼から光学レンズ４１３上へ細胞が移動または成長するのを抑制または阻止するのに効果がある。
【００３６】
図８は、本発明に基づくＩＯＬのさらに進んだ代案の実施態様を図解したものである。このＩＯＬは５１１に全体的概要を示す。本明細書に明示的に記載のない限り、ＩＯＬ  ５１１はＩＯＬ  １１１に類似した構成となり、実質的に類似の機能を果たす。ＩＯＬ  １１１のコンポーネントに相当するＩＯＬ  ５１１のコンポーネントは、４００増やした同じ参照番号により示してある。
【００３７】
ＩＯＬ  ５１１とＩＯＬ  １１１との主な相違点は、周縁エッジ面５３１の形状、および光学レンズ５１１の前方面５２３と周縁エッジ面５３１との交差形状に関係している。具体的には、周縁エッジ面５３１は、ＩＯＬ  ４１１の周縁エッジ面４３１にやや類似の連続曲線形状となっている。また、前方面５２３は、曲線上で（すなわち不連続点ではなく連続した線上で）周縁エッジ面５３１と交差する。換言すれば、前方面５２３と周縁エッジ面５３１の交差は、交差角度が鋭角であったり不連続ではなく、平坦または連続している。
【００３８】
ＩＯＬ  ５１１は、眼内にＩＯＬ  １を挿入した時に比べて、挿入によるまぶしさの低減効果がある。また、周縁エッジ面５３１は不連続点において後方面５２５と交差する。ＩＯＬ  ５１１は、眼からＩＯＬ  ５１１の後方面５２５上へ細胞が移動または成長するのを抑制または阻止するのに効果がある。
【００３９】
図９は、本発明に基づく、ＩＯＬのまたさらに進んだ実施態様を図解したものである。本明細書に明示的に記載のない限り、６１１に全体的概要を示すこのＩＯＬは、ＩＯＬ  １１１に類似した構成となり、類似の機能を果たす。ＩＯＬ  １１１のコンポーネントに相当するＩＯＬ  ６１１のコンポーネントは、５００増やした同じ参照番号により示してある。
【００４０】
ＩＯＬ  ６１１とＩＯＬ  １１１との主な相違点は、周縁エッジ面６３１の形状、および後方面６２５の形状に関係している。具体的には、周縁エッジ面６３１は、ＩＯＬ  ６１１の光学軸６２２をに比べて凸状となっている。周縁エッジ面６３１は、鋭角または不連続コーナーで前方面６２３と交差するのではなく、後方周縁コーナーエッジ６３０において鈍角で後方面６２５と交差する。後方面６２５には、光学軸６２２に対し実質的に垂直な周縁領域５１が含まれている。前方面６２３には、少なくとも部分的に光を透過しないための凹凸のついた周縁領域５２が含まれている。凸状の周縁エッジ面６３１と少なくとも部分的に不透過性の周縁領域５３との組み合わせは、例えば眼にＩＯＬ  ６１１を挿入した時コーナーエッジ６３０からのまぶしさを低減するのに特に効果がある。
【００４１】
図１０は、本発明に基づくＩＯＬのまた別の実施態様を図解したものである。このＩＯＬは７１１に全体的概要を示す。本明細書に明示的に記載のない限り、ＩＯＬ  ７１１はＩＯＬ  １１１に類似した構成となり、実質的に類似の機能を果たす。ＩＯＬ  １１１のコンポーネントに相当するＩＯＬ  ７１１のコンポーネントは、６００増やした同じ参照番号により示してある。
【００４２】
ＩＯＬ  ７１１とＩＯＬ  １１１との主な相違点は、周縁エッジ面７３１の形状、光学レンズ７１１の前方面７２３と周縁エッジ面７３１との交差形状、および後方面７２５の形状に関係している。周縁エッジ面７３１には、ＩＯＬ  ７１１の光学軸７２２と比べて凸状の第一部分５３がある。周縁エッジ面７３１には、第一部分５３から推移し、コーナーエッジ７３０において後方面７２５と交差する第二部分５５もある。周縁エッジ面７３１は、鋭角や不連続コーナーにおいて前方面７２３と交差しているのではない。後方面７２５には、光学軸７２２に対し実質的に垂直の周縁領域５５が含まれている。前方面７２３には、少なくとも部分的に光を透過しないための凹凸のついた周縁領域５７が含まれている。周縁エッジ面７３１の領域５９および後方面７２５の領域６１にも、少なくとも部分的に光を透過しないための凹凸がついている。周縁エッジ面７３１と少なくとも部分的に不透過性の領域５７、５９および６１との組み合わせは、例えば眼にＩＯＬ  ７１１を挿入した時のコーナーエッジ７３０からのまぶしさを低減するのに特に効果がある。
【００４３】
本発明は、細胞、特に上皮細胞が嚢からＩＯＬ光学レンズ上に成長または移動するのを抑制するＩＯＬを、非常に効果的に提供する。また、該ＩＯＬは、断面図においてＩＯＬ光学レンズの光学軸に実質的に平行な周縁エッジ面を持つレンズに比べて、まぶしさ、特にエッジ部でのまぶしさを低減する。このような利点は、製造も眼内への挿入も容易に行えるＩＯＬにより達成できる。該ＩＯＬは、適切な素材であればいずれでも製造することができ、患者に効果的な性能と実質的な利点を提供する。
【００４４】
本発明をさまざまな具体的実施例と実施態様に関して説明したが、本発明はこれに限定されず、以下の請求項の範囲内でさまざまに実施可能であることは理解されるはずである。
【図面の簡単な説明】
【図１】  本発明の教示に従って構成した一形態のＩＯＬの光学レンズの平面図である。
【図２】  ある先行技術のＩＯＬの光学レンズの断面図である。
【図３】  図１のライン３−３に沿って全体的に描いた断面図である。
【図４】  本発明に基づく、ＩＯＬの代案の実施態様の光学レンズの断面図である。
【図５】  本発明に基づく、ＩＯＬのさらに進んだ実施態様の光学レンズの部分的断面図である。
【図６】  本発明に基づく、ＩＯＬの追加実施態様の部分的断面図である。
【図７】  本発明に基づく、ＩＯＬのもうひとつ別の実施態様の光学レンズの部分的断面図である。
【図８】  本発明に基づく、ＩＯＬのさらに進んだ代案の実施態様の光学レンズの部分的断面図である。
【図９】  本発明に基づく、ＩＯＬのまたさらに進んだ実施態様の光学レンズの部分的断面図である。
【図１０】  本発明に基づく、ＩＯＬのまた別の実施態様の光学レンズの部分的断面図である。
【図１】
0003789753.tif 000002
【図２】
0003789753.tif 000003
【図３】
0003789753.tif 000004
【図９】
0003789753.tif 000005
【図１０】
0003789753.tif 000006
【図４】
0003789753.tif 000007
【図５】
0003789753.tif 000008
【図６】
0003789753.tif 000009
【図７】
0003789753.tif 000010
【図８】
0003789753.tif 000011